(57)【要約】【課題】  個人用無線ＩＣタグの悪意あるデータの改ざんを防止する。【解決手段】  個人に関する固有情報を記憶し該個人が携帯する個人用無線ＩＣタグと、商品に関する商品情報を記憶し該商品に取り付けられた商品用無線ＩＣタグと、固有情報及び商品情報を読み書きする読取り手段１１及び書込み手段１２を有するタグ読書き装置３と、該タグ読書き装置３に接続され、固有情報及び商品情報を登録し管理する履歴情報管理サーバとを備えた商品情報管理システムであって、タグ読書き装置３が、読取り手段１１により個人用無線ＩＣタグに記憶された固有情報を読み取った後、この固有情報が履歴情報管理サーバに登録されているものか否かを判断し、登録されていれば書込み手段１２による書き込みを許可し、登録されてなければ書込み手段１２による書き込みを拒否する書込み認証手段１４を備える。【選択図】      図２
2005189997.tif 000002
【特許請求の範囲】
【請求項１】
個人に関する固有情報を記憶し該個人が携帯する個人用無線ＩＣタグと、商品に関する商品情報を記憶し該商品に取り付けられる商品用無線ＩＣタグと、前記固有情報及び前記商品情報を読み書きする読取り手段及び書込み手段を有するタグ読書き装置と、該タグ読書き装置に接続され、前記固有情報及び前記商品情報を登録し管理する履歴情報管理サーバとを備えた商品情報管理システムであって、
前記タグ読書き装置は、前記読取り手段により前記個人用無線ＩＣタグから読み取られた固有情報に基づいて、前記書込み手段による前記商品用無線ＩＣタグへの書き込みを許可する書込み認証手段を備えたことを特徴とする商品情報管理システム。
【請求項２】
前記書込み認証手段は、前記固有情報が前記履歴情報管理サーバに登録されているものか否かを判断し、登録されていれば前記書込み手段による書き込みを許可し、登録されてなければ前記書込み手段による書き込みを拒否することを特徴とする請求項１記載の商品情報管理システム。
【請求項３】
前記タグ読書き装置は、前記固有情報及び前記商品情報を読み取り、前記固有情報を鍵として前記商品情報の一部又は全部を暗号化して暗号化メッセージ情報を生成する暗号化メッセージ生成手段を備えたことを特徴とする請求項２記載の商品情報管理システム。
【請求項４】
前記タグ読書き装置の前記書込み手段は、前記暗号化メッセージ情報を前記商品用無線ＩＣタグへ書き込むことを特徴とする請求項３に記載の商品情報管理システム。
【請求項５】
前記タグ読書き装置は、前記暗号化メッセージ情報と、前記商品用無線ＩＣタグの前記商品情報とを、同時に前記履歴情報管理サーバへ送信可能なサーバ間通信手段を備えたことを特徴とする請求項３に記載の商品情報管理システム。
【請求項６】
前記タグ読書き装置は、実時間情報を外部から得る時間情報受信部と、内部の時間情報を計時する計時部とを備え、前記実時間情報と前記内部の時間情報とを比較し一致させる手段を備えたことを特徴とする請求項１〜５のいずれか1項に記載の商品情報管理システム。
【請求項７】
前記タグ読書き装置は、前記商品情報を読み取り、この読み取った商品情報の一部又は全部と、前記計時部の時間情報とから、メッセージを生成するメッセージ生成手段を備えたことを特徴とする請求項６に記載の商品情報管理システム。
【請求項８】
前記履歴情報管理サーバは、前記メッセージを解読することによって、前記時間情報と前記固有情報とを把握する手段を備えたことを特徴とする請求項７に記載の商品情報管理システム。
【請求項９】
個人に関する固有情報を記憶し該個人が携帯する個人用無線ＩＣタグと、商品に関する商品情報を記憶し該商品に取り付けられる商品用無線ＩＣタグとに対して、前記固有情報及び前記商品情報を読み書きする読取り手段及び書込み手段を有し、前記固有情報及び前記商品情報を登録し管理する履歴情報管理サーバに接続されたタグ読書き装置において、
前記読取り手段により前記個人用無線ＩＣタグから読み取られた固有情報に基づいて、前記書込み手段による前記商品用無線ＩＣタグへの書き込みを許可する書込み認証手段を備えたことを特徴とするタグ読書き装置。
【発明の詳細な説明】
【技術分野】
【０００１】
本発明は、商品情報を管理する商品情報管理システムに関し、特に、商品に対する製造から流通，販売までの各過程において、すなわち製造及び流通，小売及び消費など各段階の商品情報を管理する商品情報管理システム及びタグ読書き装置に関する。
【背景技術】
【０００２】
商品の流通経路においては、特に食品などの製品の安全性が希求され、商品の流通経路における各段階における食品加工情報などの商品情報を追跡し、遡及できる仕組みが求められている。そこで、例えば、業界団体などによる実証実験などで製造から消費までの各工程を管理する仕組みが研究され、その一部導入が始まり、実用化されている。
例えば、商品の流通経路における各段階において、必要な情報を無線タグに順次書き加えていき、かつ必要に応じて無線タグ内のメモリに記憶された情報を読み取り、これらの情報とサーバとを組合わせることで製造から流通の工程を管理する製造流通管理システムが提案されている（例えば、特許文献１参照）。
【０００３】
あるいはまた、商品の情報を管理する履歴情報管理サーバと、個人が携帯する個人用無線ＩＣタグと、商品に取り付けられる商品用無線ＩＣタグと、個人用無線ＩＣタグ及び商品用無線ＩＣタグに対して読み込み及び書き込みを行うタグ読書き装置とを用いて、刻々と変化する商品情報の信頼性を担保する手法が提案されている（例えば、特許文献２参照）。
さらに、このような管理システムでは、情報の信頼性が重要であるため、商品管理上のデータの改ざんなどの不正処理ができないように、データに暗号化を施すといった発明が提案されている（例えば、特許文献３参照）。
【特許文献１】特開平１１−１４４０１２号公報
【特許文献２】特開２００１−３０７０５５号公報
【特許文献３】特開２００３−１２３０３３号公報
【発明の開示】
【発明が解決しようとする課題】
【０００４】
しかしながら、上記の特許文献１及び２の発明では、商品管理上のデータの改ざんなどの不正処理が容易にできるという問題があった。
また、特許文献３の発明では、データに単に暗号化を施すのみであり、何らかの手段でデータが改ざんされた場合の対策については言及されていないので、不正処理を防ぐことができないという問題があった。
【０００５】
特に、少なくとも改ざんされたものか、または、誰が改ざんしたのかについて、追跡調査できる仕組みに対する市場要求は、非常に高いものとなっている。
そこで、本発明は、上記課題を解決すべく、無線ＩＣタグの悪意あるデータの改ざんを防止するのに役立つ商品情報管理システム及びタグ読書き装置を提供することを目的としている。
また、本発明は、仮に、悪意あるデータの改ざんが行われても、改ざんが行われたこと、または改ざんを行った人物が所持していた無線ＩＣタグを突き止めるのに役立つ商品情報管理システム及びタグ読書き装置を提供することを目的としている。
【課題を解決するための手段】
【０００６】
上記目的を達成するために、請求項１記載の商品情報管理システムは、個人に関する固有情報を記憶し該個人が携帯する個人用無線ＩＣタグと、商品に関する商品情報を記憶し該商品に取り付けられる商品用無線ＩＣタグと、前記固有情報及び前記商品情報を読み書きする読取り手段及び書込み手段を有するタグ読書き装置と、該タグ読書き装置に接続され、前記固有情報及び前記商品情報を登録し管理する履歴情報管理サーバとを備えた商品情報管理システムであって、前記タグ読書き装置は、前記読取り手段により前記個人用無線ＩＣタグから読み取られた固有情報に基づいて、前記書込み手段による前記商品用無線ＩＣタグへの書き込みを許可する書込み認証手段を備えたことを特徴とする。
【０００７】
この構成により、指定の個人用ＩＣタグを所持する作業者は、商品に取り付けられた無線ＩＣタグへ書き込むことができ、他人はデータを不正に改ざんすることが困難になる。
請求項２記載の発明は、請求項１記載の商品情報管理システムに係り、前記書込み認証手段は、前記固有情報が前記履歴情報管理サーバに登録されているものか否かを判断し、登録されていれば前記書込み手段による書き込みを許可し、登録されてなければ前記書込み手段による書き込みを拒否することを特徴とする。
【０００８】
これにより、指定の個人用ＩＣタグを所持する作業者は、商品に取り付けられた無線ＩＣタグへ書き込むことができ、他人は書き込みを拒否されるので、データを不正に改ざんすることがより困難になる。
請求項３記載の発明は、請求項２記載の商品情報管理システムに係り、前記タグ読書き装置は、前記固有情報及び前記商品情報を読み取り、前記固有情報を鍵として前記商品情報の一部又は全部を暗号化して暗号化メッセージ情報を生成する暗号化メッセージ生成手段を備えたことを特徴とする。
【０００９】
これにより、たとえ、個人用ＩＣタグの所持者により、不正行為が行われた場合でも、暗号化メッセージ情報を解読することにより、所持者の特定、すなわち改ざん者の特定が可能となる。
請求項４記載の発明は、請求項３記載の商品情報管理システムに係り、前記タグ読書き装置の前記書込み手段は、前記暗号化メッセージ情報を前記商品用無線ＩＣタグへ書き込むことを特徴とする。
【００１０】
これにより、たとえ、個人用ＩＣタグの所持者により、不正行為が行われた場合でも、暗号化メッセージ情報を解読することにより、所持者の特定、すなわち改ざん者の特定が可能となる。
請求項５記載の発明は、請求項４記載の商品情報管理システムに係り、前記タグ読書き装置は、前記暗号化メッセージ情報と、前記商品用無線ＩＣタグの前記商品情報とを、同時に前記履歴情報管理サーバへ送信可能なサーバ間通信手段を備えたことを特徴とする。
【００１１】
これにより、仮に商品に取り付けられた無線ＩＣタグが紛失した場合においても、履歴情報管理サーバに記憶された情報によって、改ざん者を特定することが可能になる。
請求項６記載の発明は、請求項１〜５のいずれか1項に記載の商品情報管理システムに係り、前記タグ読書き装置は、実時間情報を外部から得る時間情報受信部と、内部の時間情報を計時する計時部とを備え、前記実時間情報と前記内部の時間情報とを比較し一致させる手段を備えたことを特徴とする。
【００１２】
なお、時間情報受信部としては電波時計情報を受信する手段が好ましいが、正確な実時間情報を得ることができれば別手段でもかまわない。
請求項７記載の発明は、請求項６記載の商品情報管理システムに係り、前記タグ読書き装置は、前記商品情報を読み取り、この読み取った商品情報の一部又は全部と、前記計時部の時間情報とから、メッセージを生成するメッセージ生成手段を備えたことを特徴とする。
【００１３】
これにより、意図的に履歴情報管理サーバと接続せずに、タグ読書き装置を不正利用して、商品に取り付けられた無線ＩＣタグを書き換えた場合、最後に記録されている履歴情報管理サーバの時間情報と無線ＩＣタグに書き込まれた時間情報を比較することにより、少なくとも改ざんされたということが判明する。なお、生成されたメッセージは、履歴情報管理サーバ又はタグ読書き装置或いは他のいずれの場所にも格納することができる。
【００１４】
請求項８記載の発明は、請求項７記載の商品情報管理システムに係り、前記履歴情報管理サーバは、前記メッセージを解読することによって、前記時間情報と前記固有情報とを把握する手段を備えたことを特徴とする。
これにより、外部の履歴情報管理サーバによりタグ読書き装置の不正使用，無線無線ＩＣタグの不正書き換えなどを把握することができ、より確実に悪意ある改ざんに対処することができる。
【００１５】
請求項９記載のタグ読書き装置は、個人に関する固有情報を記憶し該個人が携帯する個人用無線ＩＣタグと、商品に関する商品情報を記憶し該商品に取り付けられる商品用無線ＩＣタグとに対して、前記固有情報及び前記商品情報を読み書きする読取り手段及び書込み手段を有し、前記固有情報及び前記商品情報を登録し管理する履歴情報管理サーバに接続されたタグ読書き装置において、前記読取り手段により前記個人用無線ＩＣタグから読み取られた固有情報に基づいて、前記書込み手段による前記商品用無線ＩＣタグへの書き込みを許可する書込み認証手段を備えたことを特徴とする。
この構成により、指定の個人用ＩＣタグを所持する作業者だけが、商品に取り付けられた無線ＩＣタグへ書き込むことができ、他人はデータを不正に改ざんすることが困難になる。
【発明の効果】
【００１６】
以上説明したように、本発明の構成により、個人用無線ＩＣタグを所持しない人物は、履歴情報を変更することはできないため、基本的に悪意ある改ざんを防止することが可能である。
また、仮に、悪意ある改ざんが行われても、改ざんが行われたこと、または改ざんを行った人物が所持していた個人用無線ＩＣタグを突き止めることが可能である。
これにより、このような流通経路のトレース情報の信頼性が高まる為、消費者には信頼感を与え、購買意欲の増大に繋がる。これは、流通・生産事業者などへのメリットともなり、ひいては、関連業界の正しい発展が促されるものである。
【発明を実施するための最良の形態】
【００１７】
以下、図面を参照して、本発明の実施の形態について詳細に説明する。
本発明の実施の形態に係る商品情報管理システムは、最終的に製品となる食肉の生産地から複数の加工所を経由して小売店舗へ流通される流通システムへの適用例である。
図１は、本発明に係る商品情報管理システムの構成を示す概略図である。
商品情報管理システム１００は、個人用無線ＩＣタグ１と、商品用無線ＩＣタグ２と、タグ読書き装置３と、ネットワーク７と、履歴情報管理サーバ８とから構成される。タグ読書き装置３の各々は、ネットワーク７を介して履歴情報管理サーバ８に接続されている。
【００１８】
タグ読書き装置３は、最終的に製品５となる食肉を取り扱うそれぞれの段階、すなわち、地点Ａ，Ｂ，Ｃの各々に設定されている。地点Ａは生産地４ａ、地点Ｂは加工所４ｂ、地点Ｃは小売店舗４ｃを示している。なお、この地点Ａ，Ｂ，Ｃの流通段階は、これに限定されるわけではなく、物流業者，サービス業者等も含み、製造から消費までの全ての段階として考えることが可能である。また、加工そのものが複数の段階に分かれている場合は、それぞれ異なる地点と考えても良い。
【００１９】
個人用無線ＩＣタグ１は、地点Ａである生産地４ａにおいては生産者用無線ＩＣタグ１ａ、地点Ｂである加工所４ｂにおいては加工者用無線ＩＣタグ１ｂ、地点Ｃである小売店舗４ｃにおいては販売者用無線ＩＣタグ１ｃが用いられ、各段階において、タグ読書き装置３を使用して、これら個人用無線ＩＣタグ１ａ，１ｂ，１ｃから必要な情報を読み出したり、書き込んだりするものである。この例では、生産者用無線ＩＣタグ１ａ，加工者用無線ＩＣタグ１ｂ，販売者用無線ＩＣタグ１ｃと３種類しか示していないが、これに限定されず、物流業者用無線ＩＣタグ，サービス業者用無線ＩＣタグ等、さまざまな流通段階において個人用無線ＩＣタグ１を用いることが可能である。
【００２０】
商品用無線ＩＣタグ２は、最終的に製品５となる食肉を取り扱うそれぞれの段階において、各地点を商品が通過する際に用いられる。すなわち、地点Ａである生産地４ａにおいては原材料、地点Ｂである加工所４ｂにおいては加工品、地点Ｃである小売店舗４ｃにおいては製品５に取り付けられ、各段階において、タグ読書き装置３を使用して、この商品用無線ＩＣタグ２から必要な情報を読み出したり、書き込んだりするものである。
【００２１】
また、商品用無線ＩＣタグ２は、製品５に関する情報を記憶する領域を備え、例えば、生産業者は、生産の工程において商品用無線ＩＣタグ２に生産に関する情報を書込み、又は、生産者用無線ＩＣタグ２を参照することにより、製品５の生産管理を行うことができる。また、加工業者は、加工の工程において商品用無線ＩＣタグ２に加工方法に関する情報を書込み、又は、商品用無線ＩＣタグ２を参照することにより、加工管理を行うことができる。同様にして、販売業者は、販売の段階において商品用無線ＩＣタグ２に販売方法に関する情報を書込み、又は、商品用無線ＩＣタグ２を参照することにより、販売管理を行うことができる。このように、物流業者，サービス業者及び回収リサイクル業者は、それぞれの業務のプロセスにおいて、商品用無線ＩＣタグ２にそれぞれの業務に関する情報を書込み、又は、商品用無線ＩＣタグ２を参照することにより、製品５の業務管理を行う。このように、複数のステージにおいて、製品に付された１個の商品用無線ＩＣタグ２に対して、情報の書き込みと参照が行われる。
【００２２】
製品５としては、電気業界における家庭用電化製品，コンピュータなどの電子機器，あるいは電子部品、産業用機器、または車業界における自動車、モータサイクル等、あるいはこれらの部品、食品業界における梱包された食品等、住宅業界における住宅建材，家具等、または衣料業界における衣服等、その他、鞄，靴，食器あるいは雑貨などのさまざまな製品が意図される。製品は、生産、物流、販売、サービス、回収リサイクルの各ステージを経て流通し、その一生を終える。すなわち、製品の生産から廃棄・回収に至るまで全てを対象としている。
【００２３】
履歴情報管理サーバ８は、タグ読書き装置３から送られた商品情報を管理するサーバであり、常に新しい情報を入力できるようにネットワーク７を介して地点Ａ，Ｂ，Ｃの各々に設置されるタグ読書き装置３の各々に個別に接続され、タグ読書き装置３が読み取った商品情報及び固有情報等を格納し、必要に応じて取り出すことができるように構成されている。また、暗号化されたメッセージに対処できるように、一定長の暗号化メッセージを解読できるように構成されている。さらに、時間情報と固有情報とを把握する手段を備える。
ネットワーク７は、タグ読書き装置３の各々と履歴情報管理サーバ８とを接続し、公衆回線網やインターネットを使用して、リアルタイムに情報をやり取りできるようにしたものである。
【００２４】
図２は、本発明に係るタグ読書き装置の構成を示す機能ブロック図である。
タグ読書き装置３は、アンテナ部９と、無線通信部１０と、読取り部１１と、書込み部１２と、暗号化メッセージ生成部１３と、復号化部１７と、書込み認証部１４と、外部入力部１５と、外部出力部１９と、サーバ間通信部１８と、電波時計情報受信部２０と、制御部１６とからなり、制御部１６は、他に計時部やメモリ部など（図示せず）を持つ。
無線通信部１０は、商品に取り付けられる商品用無線ＩＣタグ２と通信する無線通信部と、個人が持つ生産者用無線ＩＣタグ１ａ，加工者用無線ＩＣタグ１ｂ，販売者用無線ＩＣタグ１ｃ等の個人用無線ＩＣタグ１と通信する無線通信部とは、別の無線方式を利用する別の手段でもよいが、ここでは同様の手段として説明する。
【００２５】
読取り部１１は、無線通信部１０を介して、商品用無線ＩＣタグ２，個人用無線ＩＣタグ１に記憶された情報を読み取る。
書込み部１２は、暗号化メッセージ生成部１３により暗号化された一定長の暗号化メッセージ情報を商品用無線ＩＣタグへ書き込む。
暗号化メッセージ生成部１３は、読取り部１１により、個人用無線ＩＣタグ１の中に記憶された固有情報を読み取り、商品用無線ＩＣタグ２の中に記憶された商品情報を読み取った後、固有情報を鍵として商品情報の一部を暗号化し、一定長の暗号化メッセージ情報を作成する。
【００２６】
書込み認証部１４は、読取り部１１により個人用無線ＩＣタグ１の中に記憶された固有情報を読み取った後、書込み部１２に対して、この固有情報に基づいて商品用無線ＩＣタグ２への商品情報の書き込みを許可するか否かを判別する。
復号化部１７は、暗号化メッセージ作成部１３で作成された暗号化メッセージを復号鍵を用いて復号し、外部出力部１９に送る。
サーバ間通信部１８は、暗号化された一定長の暗号化メッセージ情報と、商品用無線ＩＣタグ２の商品情報とを、同時に履歴情報管理サーバ８へ送信することができる。
【００２７】
電波時計情報受信部２０は、正確な実時間情報を得る。なお、電波時計情報受信部２０は、正確な実時間情報が得られる手段であれば、電波時計情報を受信する手段に限らず、別手段でもかまわない。
制御部１６は、無線通信部１０，読取り部１１，書込み部１２，暗号化メッセージ生成部１３，書込み認証部１４，復号化部１７，サーバ間通信部１８，電波時計情報受信部２０等、タグ読書き装置３内部の各部を制御する。
【００２８】
図３は、本発明に係る個人用無線ＩＣタグ及び商品用無線ＩＣタグの構成を示す機能ブロック図である。
個人用無線ＩＣタグ１と商品用無線ＩＣタグ２とは、無線ＩＣタグとしては基本的には同じ機能，構成を持つものである。すなわち、無線ＩＣタグは、アンテナ部２３と、アンテナ部２３を介してタグ読書き装置３と通信を行う無線通信部２２と、無線通信部２２を介して入力した情報を記憶する記憶部２１と、無線通信部２２及び記憶部２１を制御する制御部２４とからなる。
【００２９】
個人用無線ＩＣタグの記憶部には、固有ＩＤを含んだ情報を記憶させ、タグ読書き装置３に読み取らせる。
商品用無線ＩＣタグ２の記憶部には、製品５に対する情報を記憶させ、タグ読書き装置３に読み取らせ、あるいは新情報がタグ読書き装置３から書き込まれる。製品５に関する情報としては、例えば、生産業者の生産の工程，製品５の生産管理，加工業者の加工方法，販売業者の販売管理の情報等を含む。
【００３０】
図４は、流通段階におけるタグ読書き装置の作業状態を示す概略図である。
例えば食肉を加工する加工者は、図のＨで示される加工者用無線ＩＣタグ１ｂを所持し、最終的に製品となる食肉には図のＭで示される商品用無線ＩＣタグ２が用いられ、加工者用無線ＩＣタグ１ｂ，商品用無線ＩＣタグ２は、それぞれ、タグ読書き装置３から必要な情報を読み出したり、書き込んだりする。個人用無線ＩＣタグ１は、生産者が使用する場合は生産者用無線ＩＣタグ１ａ、加工者が使用する場合は加工者用無線ＩＣタグ１ｂ、小売店舗で使用する場合は販売者用無線ＩＣタグ１ｃである。
【００３１】
また、他の流通段階、例えば食肉となる動物を飼っている農家は、例えばＸで示される生産者用無線ＩＣタグ１ａ、食肉を小売する小売店は、例えばＹで示される販売者用無線ＩＣタグ１ｃなど、その流通段階に対応して個人用無線ＩＣタグ１のうちの生産者用無線ＩＣタグ１ａ，加工者用無線ＩＣタグ１ｂ，販売者用無線ＩＣタグ１ｃのいずれか、あるいはその他の流通段階用の無線ＩＣタグを使用する。
【００３２】
図５は、本発明に係る商品情報管理方法におけるタグ読書き装置の情報書き込み時の動作を示すフローチャートである。
ここで、加工作業者が、加工時に加工情報を書き込む場合のタグ読書き装置３の動作について説明する。
まず、加工作業者は、予め加工情報など新たに追加・変更したい情報を入力し（ステップＳ１）、加工者用無線ＩＣタグ１ｂの中に記憶された固有ＩＤを含んだ情報をタグ読書き装置３の読取り部１１に読取らせる（ステップＳ２）。これは、加工者用無線ＩＣタグ１ｂをタグ読書き装置３のアンテナ部９にかざすだけの作業である。なお、加工者用無線ＩＣタグ１ｂの中に、例えばＨという固有ＩＤを所持する加工作業者は、予め加工所４ｂや履歴情報管理サーバ８に登録され、対応が取れているものとする。あるいは加工者用無線ＩＣタグ１ｂ内に加工作業者の個人情報を格納しておいても良い。
【００３３】
次に、タグ読書き装置３は、無線通信範囲に存在し書き込む対象となる食肉に取り付けられた商品用無線ＩＣタグ２の情報を読取る（ステップＳ３）。
次に、ステップ１で読み取った固有ＩＤが履歴情報管理サーバ８に登録されているものか否かを判断し、登録されていれば、書込み認証部１４により書込み機能を許可し、登録されていなければ、書込み機能を拒否し、使えない状態のままとする（ステップＳ４）。
【００３４】
次に、商品用無線ＩＣタグ２の一部の情報と、実時間に合った時間情報、及び固有ＩＤから一定長の長さで暗号化されたダイジェストメッセージを作成する（ステップＳ５）。
次に、タグ読書き装置３は、このダイジェストメッセージ及び加工情報を、書込み認証部１４で許可された書込み機能により、商品用無線ＩＣタグ２へ書き込む（ステップＳ６）。
書込みが終了したタグ読書き装置３は、商品用無線ＩＣタグ２及び個人用無線ＩＣタグ１の情報、及びダイジェストメッセージと加工情報を、履歴情報管理サーバ８へ送信し（ステップＳ７）、その後、一連の全ての情報をクリアして（ステップＳ８）、次の操作まで待機する。
【００３５】
次に、ステップＳ５におけるダイジェストメッセージを作成する方法について、さらに詳細に説明する。
まず、Ｈで示される加工者用無線ＩＣタグ１ｂ（以下、加工者用無線ＩＣタグＨという）には、固有ＩＤであるＩＤ情報（Ｋｅｙ＿ＩＤ）を持ち、予め実際の加工作業者とこの固有ＩＤとの関連付けを行い、例えば、履歴情報管理サーバ８に登録しておく。また、この場合、加工者用無線ＩＤタグＨが、例えばリストバンド型となっているなどの工夫がされているとよい。
【００３６】
Ｍで示される商品用無線ＩＣタグ２（以下、商品用無線ＩＣタグＭという）は、旧トレース情報「ｉｎｆｏ＿ｔｒａｃｅ＿Ｍ」と旧ダイジェストメッセージ「ｄｇｓｔ＿ｍｓｇ」とからなる旧情報「ｉｎｆｏ＿Ｍ」を記憶している。
タグ読書き装置３は、商品用無線ＩＣタグＭから旧情報を読み取り、受信した商品用無線ＩＣタグＭの旧トレース情報「Ｐａｓｔ（ｉｎｆｏ＿ｔｒａｃｅ＿Ｍ）」を元に、加工した作業などに合わせて新たに新トレース情報「Ｎｅｗ（ｉｎｆｏ＿ｔｒａｃｅ＿Ｍ）」を作成する。
【００３７】
次に、実時間情報をタイムスタンプ「Ｔ＿ｓｍｐ」として、新トレース情報「Ｎｅｗ（ｉｎｆｏ＿ｔｒａｃｅ＿Ｍ）」の一部であるヘッダ部情報「Ｈｄ（ｉｎｆｏ＿ｔｒａｃｅ＿Ｍ）」と足し合わせ、これを暗号化し、一定長であるダイジェストメッセージを作成し、新ダイジェストメッセージとする。
すなわち、ヘッダ部情報「Ｈｄ（ｉｎｆｏ＿ｔｒａｃｅ＿Ｍ）」＋タイムスタンプ「Ｔ＿ｓｍｐ」）＊＊ＩＤ情報「Ｋｅｙ＿ＩＤ」＝ダイジェストメッセージ「ｄｇｓｔ＿ｍｓｇ」となる。
【００３８】
なお、「＊＊」は、一般的な暗号化のロジックでかまわない。
そして、この新ダイジェストメッセージ「Ｎｅｗ（ｄｇｓｔ＿ｍｓｇ）」と新トレース情報「Ｎｅｗ（ｉｎｆｏ＿ｔｒａｃｅ＿Ｍ）」とを足し合わせ、この情報を新情報「Ｎｅｗ（ｉｎｆｏ＿Ｍ）」とする。
最後に、タグ読書き装置３は、この新情報「Ｎｅｗ（ｉｎｆｏ＿Ｍ）」を商品用無線ＩＣタグＭへ書込み、商品用無線ＩＣタグＭは、新情報「Ｎｅｗ（ｉｎｆｏ＿Ｍ）」を記憶する仕組みである。
【００３９】
また、同時に、タグ読書き装置３は、新情報「Ｎｅｗ（ｉｎｆｏ＿Ｍ）」を履歴情報管理サーバ８へ送信し、履歴情報管理サーバ８では、商品用無線ＩＣタグＭの履歴として新情報「Ｎｅｗ（ｉｎｆｏ＿Ｍ）」を記憶する。
これにより、固有ＩＤであるＩＤ情報「Ｋｅｙ＿ＩＤ」が記憶された加工者用無線ＩＣタグＨを所持しない操作者は商品用無線ＩＣタグＭを変更することが困難になり、他人はデータを不正に改ざんすることが困難になる。
【００４０】
そして、仮に何らかの手段を用いて、商品用無線ＩＣタグＭまたは、履歴情報管理サーバ８の情報が改ざんされたとしても、商品用無線ＩＣタグＭの最新ダイジェストメッセージ「Ｎｅｗ（ｄｇｓｔ＿ｍｓｇ）」または、履歴情報管理サーバ８内に記憶されているダイジェストメッセージ「ｄｇｓｔ＿ｍｓｇ」を確認すれば、改ざんを行った人物が所持していた個人用無線ＩＣタグ１が分かり、少なくとも改ざんが行われた事実が分かるシステムが構築できる。よって、改ざんに対する抑止力となり、悪意あるデータの改ざんを防止するのに役立つ。
【００４１】
なお、ダイジェストメッセージは、「一定長」としたが、これに限らず、一定長でないダイジェストメッセージを使用することもできる。
また、ダイジェストメッセージの格納場所は、履歴情報管理サーバ８に限らず、タグ読書き装置３或いは他のいずれの場所にも格納することもできる。
また、書き込み認証部１４は、読取り部１１により個人用無線ＩＣタグから固有情報が読み取られた時点で、書き込みを許可することもできるし、或いは、固有情報に基づいて拒否を判断した後に、書き込みを許可することもできる。
【図面の簡単な説明】
【００４２】
【図１】本発明に係る商品情報管理システムの構成を示す概略図である。
【図２】本発明に係るタグ読書き装置の構成を示す機能ブロック図である。
【図３】本発明に係る個人用無線ＩＣタグ及び商品用無線ＩＣタグの構成を示す機能ブロック図である。
【図４】流通段階におけるタグ読書き装置の作業状態を示す概略図である。
【図５】本発明に係る商品情報管理方法におけるタグ読書き装置の情報書き込み時の動作を示すフローチャートである。
【符号の説明】
【００４３】
１…個人用無線ＩＣタグ、  １ａ…生産者用無線ＩＣタグ、  １ｂ…加工者用無線ＩＣタグ、  １ｃ…販売者用無線ＩＣタグ、  ２…商品用無線ＩＣタグ、  ３…タグ読書き装置、  ４ａ…生産地、  ４ｂ…加工所、  ４ｃ…小売店舗、  ５…製品、  ７…ネットワーク、  ８…履歴情報管理サーバ、  ９…アンテナ部、  １０…無線通信部、  １１…読取り部、  １２…書込み部、  １３…暗号化メッセージ生成部、  １４…書込み認証部、  １５…外部入力部、  １６…制御部、  １７…復号化部、  １８…サーバ間通信部、  １９…外部出力部、  ２０…電波時計情報受信部、  ２１…記憶部、  ２２…無線通信部、  ２３…アンテナ部、  ２４…制御部、１００…商品情報管理システム
【図１】
2005189997.tif 000003
【図２】
2005189997.tif 000004
【図３】
2005189997.tif 000005
【図４】
2005189997.tif 000006
【図５】
2005189997.tif 000007